(57)【要約】【課題】観察効率を低下させることなく、標本と対物レンズとの温度条件を一定にして観察を実施することが可能な顕微鏡および保温部材を提供すること。【解決手段】観察対象となる標本を観察可能な顕微鏡であって、顕微鏡本体と、顕微鏡本体に取り付けられ、標本または標本を収容する収容容器を載置するステージと、少なくとも標本からの観察光を集光する対物レンズと、対物レンズが集光した観察光を結像する観察光学系と、顕微鏡本体に取り付けられ、所定の空間領域を形成し、少なくともステージ上の標本または収容容器、および対物レンズを空間領域に収容する保温部材と、空間領域の温度を設定された温度に調節して維持する温度調節部と、を備え、保温部材の底部は、顕微鏡本体の底部より上方に位置する。【選択図】図１
2014006395.tif 000002
【特許請求の範囲】
【請求項１】
観察対象となる標本を観察可能な顕微鏡であって、
顕微鏡本体と、
前記顕微鏡本体に取り付けられ、前記標本または該標本を収容する収容容器を載置するステージと、
少なくとも前記標本からの観察光を集光する対物レンズと、
前記対物レンズが集光した前記観察光を結像する観察光学系と、
前記顕微鏡本体に取り付けられ、所定の空間領域を形成し、少なくとも前記ステージ上の前記標本または前記収容容器、および前記対物レンズを前記空間領域に収容する保温部材と、
前記空間領域の温度を設定された温度に調節して維持する温度調節部と、
を備え、
前記保温部材の底部は、前記顕微鏡本体の底部より上方に位置することを特徴とする顕微鏡。
【請求項２】
前記保温部材は、前記顕微鏡本体に着脱自在であることを特徴とする請求項１に記載の顕微鏡。
【請求項３】
前記顕微鏡本体は、前記保温部材の底面の一部をなすことを特徴とする請求項１または２に記載の顕微鏡。
【請求項４】
前記顕微鏡本体は、
土台をなす基部と、
前記基部の端部から向かい合ってそれぞれ上方に延びる第１および第２の壁部と、
前記第１および第２の壁部を相互に接続する梁状をなし、前記対物レンズを保持する対物レンズ保持手段を支持する梁部と、
からなり、
前記保温部材の底部は、前記梁部に当接することを特徴とする請求項３に記載の顕微鏡。
【請求項５】
顕微鏡本体と、前記顕微鏡本体に取り付けられ、観察対象となる標本または該標本を収容する収容容器を載置するステージと、少なくとも前記標本からの観察光を集光する対物レンズを保持する対物レンズ保持手段と、前記対物レンズが取り込んだ前記観察光を結像する観察光学系と、を備えた顕微鏡に取り付けられ、所定の空間領域を形成し、温度調節部によって該空間領域の温度が設定された温度に維持される保温部材であって、
少なくとも前記ステージ上の前記標本または前記収容容器、および前記対物レンズを前記空間領域に収容し、
底面が、前記顕微鏡本体の底面より上方に位置することを特徴とする保温部材。
【発明の詳細な説明】
【技術分野】
【０００１】
本発明は、例えば、照明光を標本に照射し、標本から反射または透過した光を受光して標本の観察を行う倒立型の顕微鏡およびこの顕微鏡に取り付けられる保温部材に関するものである。
【背景技術】
【０００２】
従来、医学や生物学等の分野では、細胞等の観察において、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。顕微鏡による標本の観察としては、目視による観察の他、ＣＣＤまたはＣＭＯＳイメージセンサ等の撮像素子を用いて標本像を撮像し、撮像した画像のモニタ表示による観察が知られている。
【０００３】
ここで、医学や生物学等の分野において細胞等を観察する際、生物を培養しながらその変化の過程を観察する場合がある。この場合、一定の温度条件下で生物を培養する必要があるため、所定の空間の温度を一定に維持する保温部材（保温箱）が設けられる（例えば、特許文献１，２を参照）。
【０００４】
特許文献１では、保温箱が、第１箱半体および第２箱半体からなり、顕微鏡本体をほぼ内包するように取り付けられている。また、特許文献２では、保温箱が、第１箱半体および第２箱半体からなり、ステージの培養容器を載置する側の面に取り付けられている。また、特許文献１および特許文献２が開示する各保温箱は、内部空間の温度を設定温度に維持するための手段を有し、内部に培養容器を収容することによって、標本の観察環境を観察温度域に制御する。
【先行技術文献】
【特許文献】
【０００５】
【特許文献１】特開平８−１１４７５０号公報
【特許文献２】実開昭６０−１５６９９６号公報
【発明の概要】
【発明が解決しようとする課題】
【０００６】
しかしながら、特許文献１が開示する技術は、保温箱が顕微鏡本体をほぼ内包するように設けられるため、温度調整対象の内部空間の体積が大きく、設定温度に到達するまでに時間を要する場合があった。この場合には、顕微鏡に保温箱を設置してから観察を開始するまでにタイムラグが生じ、観察効率が低下してしまうおそれがあった。
【０００７】
また、特許文献２が開示する技術では、ステージ上の培養容器のみを覆う構成のため、対物レンズは保温箱の外部に露出してしまう。これにより、標本と対物レンズとの温度条件が異なってしまい、正確な観察ができないおそれがあった。
【０００８】
本発明は、上記に鑑みてなされたものであり、観察効率を低下させることなく、標本と対物レンズとの温度条件を一定にして観察を実施することが可能な顕微鏡および保温部材を提供することを目的とする。
【課題を解決するための手段】
【０００９】
上述した課題を解決し、目的を達成するために、本発明にかかる顕微鏡は、観察対象となる標本を観察可能な顕微鏡であって、顕微鏡本体と、前記顕微鏡本体に取り付けられ、前記標本または該標本を収容する収容容器を載置するステージと、少なくとも前記標本からの観察光を集光する対物レンズと、前記対物レンズが集光した前記観察光を結像する観察光学系と、前記顕微鏡本体に取り付けられ、所定の空間領域を形成し、少なくとも前記ステージ上の前記標本または前記収容容器、および前記対物レンズを前記空間領域に収容する保温部材と、前記空間領域の温度を設定された温度に調節して維持する温度調節部と、を備え、前記保温部材の底部は、前記顕微鏡本体の底部より上方に位置することを特徴とする。
【００１０】
また、本発明にかかる顕微鏡は、上記の発明において、前記保温部材は、前記顕微鏡本体に着脱自在であることを特徴とする。
【００１１】
また、本発明にかかる顕微鏡は、上記の発明において、前記顕微鏡本体は、前記保温部材の底面の一部をなすことを特徴とする。
【００１２】
また、本発明にかかる顕微鏡は、上記の発明において、前記顕微鏡本体は、土台をなす基部と、前記基部の端部から向かい合ってそれぞれ上方に延びる第１および第２の壁部と、前記第１および第２の壁部を相互に接続する梁状をなし、前記対物レンズを保持する対物レンズ保持手段を支持する梁部と、からなり、前記保温部材の底部は、前記梁部に当接することを特徴とする。
【００１３】
また、本発明にかかる保温部材は、略箱状をなす顕微鏡本体と、前記顕微鏡本体に取り付けられ、観察対象となる標本または該標本を収容する収容容器を載置するステージと、少なくとも前記標本からの観察光を集光する対物レンズを保持する対物レンズ保持手段と、前記対物レンズが取り込んだ前記観察光を結像する観察光学系と、を備えた顕微鏡に取り付けられ、所定の空間領域を形成し、温度調節部によって該空間領域の温度が設定された温度に維持される保温部材であって、少なくとも前記ステージ上の前記標本または前記収容容器、および前記対物レンズを前記空間領域に収容し、底面が、前記顕微鏡本体の底面より上方に位置することを特徴とする。
【発明の効果】
【００１４】
本発明によれば、顕微鏡本体に取り付けられ、温度調節部によって所定の空間の温度が設定された温度に維持される保温部材が、少なくともステージ上の標本または収容容器、および対物レンズを空間内に収容し、底部が顕微鏡本体の底部より上方に位置するようにしたので、観察効率を低下させることなく、標本と対物レンズとの温度条件を一定にして観察を実施することができるという効果を奏する。
【図面の簡単な説明】
【００１５】
【図１】図１は、本発明の実施の形態１にかかる倒立型顕微鏡の全体構成を示す模式図である。
【図２】図２は、本発明の実施の形態１にかかる倒立型顕微鏡の内部構造を示す部分断面図である。
【図３】図３は、本発明の実施の形態１にかかる倒立型顕微鏡の要部の構成を模式的に示す分解斜視図である。
【図４】図４は、本発明の実施の形態２にかかる倒立型顕微鏡の全体構成を示す模式図である。
【図５】図５は、本発明の実施の形態２にかかる倒立型顕微鏡の要部の構成を模式的に示す正面図である。
【図６】図６は、本発明の実施の形態２にかかる倒立型顕微鏡の要部の構成を模式的に示す分解斜視図である。
【発明を実施するための形態】
【００１６】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１７】
（実施の形態１）
まず、本実施の形態１にかかる倒立型顕微鏡について、図面を参照して詳細に説明する。  図１は、本実施の形態１にかかる倒立型顕微鏡の全体構成を示す模式図である。図２は、図１に示した倒立型顕微鏡の内部構造を示す部分断面図である。
【００１８】
倒立型顕微鏡は、観察対象となる標本を、この標本の下から観察する顕微鏡であって、顕微鏡本体１と、顕微鏡本体１に支持されたステージ２と、例えばステージ２の上に載置された標本または培養容器内の標本を下から観察する観察光学系３とを少なくとも備えている。また、倒立型顕微鏡には、内部の空間の温度を設定された温度に維持し、少なくともステージ２上の標本（培養容器）および対物レンズ３１を収容する保温箱１００（保温部材）が設けられる。また、倒立型顕微鏡は、この倒立型顕微鏡全体の制御を行う制御部２０と、保温箱１００の内部の空間の温度調節を行う温度調節部２１と、を有する。
【００１９】
顕微鏡本体１は、箱状を呈しており、前後方向に延びる基部１ａと、基部１ａの後縁部から上方に延びる後壁部１ｂ（第１の壁部）と、基部１ａの前縁部から上方に延びる前壁部１ｃ（第２の壁部）と、後壁部１ｂの上部と前壁部１ｃの上部とを相互に接続する梁状をなす梁部１ｄとを有している。そして、梁部１ｄの下方域に照明光導入装置４の装着領域が画成され、上方域に対物レンズ３１（図２参照）の取付領域が画成される。
【００２０】
装着領域を画成する後壁部１ｂの内側と前壁部１ｃの内側とには、前後で対になる嵌合溝１ｂ１、１ｃ１が上下方向に二つ形成してある。対になる嵌合溝１ｂ１、１ｃ１は、照明光導入装置４を着脱自在に装着するためのもので、左右方向に延在しており、照明光導入装置４に設けた角柱状の凸部４ａが嵌合可能である。この嵌合溝１ｂ１、１ｃ１に照明光導入装置４に設けた凸部４ａがガイドされ、顕微鏡本体１に照明光導入装置４がそれぞれ装着される。そして、装着された照明光導入装置４は、凸部４ａと嵌合溝１ｂ１、１ｃ１とによって位置決めされ、固定される。なお、本実施の形態１では、嵌合溝１ｂ１、１ｃ１が上下方向に三つ形成してあるものとして説明するが、一つまたは二つ形成してもよいし、四つ以上形成してもよい。
【００２１】
図２に示すように、後壁部１ｂには上述した二つの嵌合溝１ｂ１のそれぞれに連通する嵌合孔１ｂ２が上下方向に並んで形成してある。嵌合孔１ｂ２は、ランプハウス５を装着するためのもので、ランプハウス５に設けた円柱状の凸部５ａが嵌合可能である。この嵌合孔１ｂ２にランプハウス５に設けた凸部５ａがガイドされ、顕微鏡本体１にランプハウス５が装着される。そして、装着されたランプハウス５は、凸部５ａと嵌合孔１ｂ２とによって位置決めされ、固定される。
【００２２】
取付領域を画成する梁部１ｄの上面には、レボルバ６（対物レンズ保持手段）と準焦装置７とが取り付けてある。レボルバ６は、回転可能かつ昇降可能であって、互いに倍率の異なる複数の対物レンズ３１が装着可能である。そして、レボルバ６に装着された対物レンズ３１のうち一の対物レンズ３１が光軸上に配置される。準焦装置７は、対物レンズ３１の焦点を標本に合わせるためもので、制御部２０の制御のもと、準焦装置７を操作することにより、レボルバ６が昇降し、レボルバ６に装着した対物レンズ３１の焦点が標本に合焦する。なお、本実施の形態１では回転方式のレボルバ６を用いて対物レンズを交換する方法について説明したが、レボルバ６に代えて、スライド方式のレボルバを用いる構成であってもよい。スライド方式では、対物レンズの光軸に直交する方向にスライド自在に設けられたスライダを介して、所望の対物レンズを標本の下方に配置することができる。
【００２３】
図１および図２に示すように、後壁部１ｂの上面１ｂ３と前壁部１ｃの上面１ｃ２とは、水平方向に延びる同一平面を構成しており、ステージ２は、後壁部１ｂの上面１ｂ３と前壁部１ｃの上面１ｃ２とに跨って取り付けられ、支持される。
【００２４】
ステージ２は、上面と下面とがそれぞれ平坦な板状体であって、その上面に標本が載置される。また、ステージ２のほぼ中央には、標本が落下しない程度の開口（透孔）２ａが設けてあり、励起光、または標本からの観察光が通過するようになっている。
【００２５】
また、ステージ２の標本（培養容器）載置面をＸＹ平面とし、このＸＹ平面に直交する方向をＺ方向としたとき、ステージ２は、少なくともＸＹ方向に移動自在に構成されている。ステージ２は、制御部２０の制御のもと、図示しないモータによってＸＹ平面内で移動自在である。制御部２０は、図示しないＸＹ位置の原点センサによってＸＹ平面における所定の原点位置を検出し、この原点位置を基点としてモータの駆動量が制御されることによって、標本上の観察箇所を移動する。
【００２６】
ここで、Ｚ方向における焦準移動は、上述した焦準装置７によるレボルバ６の上下動させることで行ってもよいし、ステージ２をモータによってＺ方向に移動自在としてもよい。ステージ２をＺ方向に移動可能とする場合、制御部２０は、図示しないＺ位置の原点センサによってステージ２のＺ方向における所定の原点位置を検出し、この原点位置を基点としてモータの駆動量が制御されることによって、所定の高さ範囲内の任意のＺ位置に標本を焦準移動させる。
【００２７】
図２に示すように、観察光学系３は、標本の観察を可能にするもので、顕微鏡本体１と顕微鏡本体１に取り付けられた鏡筒８とにわたって設けられている。観察光学系３は、上述した対物レンズ３１のほか、結像レンズ３２、ミラー３３、リレーレンズ３４、結像レンズ３５、接眼レンズ３６を有している。
【００２８】
結像レンズ３２、ミラー３３、リレーレンズ３４は、顕微鏡本体１の内部に取り付けてあり、対物レンズ３１を通過することにより平行光束となった観察光は、結像レンズ３２を通過することにより結像され、ミラー３３、リレーレンズ３４を経由して鏡筒８に入射する。
【００２９】
結像レンズ３５、接眼レンズ３６は、鏡筒８の内部に取り付けてあり、顕微鏡本体１から入射した観察光は、結像レンズ３５を通過することにより結像され、接眼レンズ３６を覗くことにより観察される。
【００３０】
照明光導入装置４は、略柱状をなし、この柱状の対向する側面のうち、いずれか一つの対向する側面から突出する凸部４ａが形成されている。また、内部には、光の波長を選択的に反射または透過するダイクロイックミラーが設けられている。具体的には、ダイクロイックミラーは、ランプハウス５から導入される光をステージ２側に反射するとともに、ステージ２上の標本から発せられた光を透過する。
【００３１】
ランプハウス５は、内部に設けられた光源から出射される落射照明用の光を基部１ａ内に入射する。また、ランプハウス５は、落射照明用の光を出射する光源のほか、光源が出射する光のうち、標本が保持する発光物質を励起するための励起光の波長に応じた光を透過する励起フィルタを複数有し、所望の波長に応じて励起フィルタを切り替えて励起光を出射する。ランプハウス５から出射された励起光は、凸部５ａを介して照明光導入装置４に取り込まれる。
【００３２】
また、図１および図２に示す倒立型顕微鏡は、透過照明装置９を備えている。透過照明装置９は、顕微鏡本体１の上方域に取り付けられている。透過照明装置９は、支柱９１と、支柱９１に取り付けられ、透過照明用の光を出射する光源９２と、支柱９１に取り付けられた投光装置９３と、支柱９１に取り付けられたコンデンサレンズ９４と、を有している。
【００３３】
上述した倒立型顕微鏡において、装着領域に照明光導入装置４を装着する場合には、照明光導入装置４に設けた凸部４ａを顕微鏡本体１に設けた嵌合溝１ｂ１、１ｃ１に挿入する。照明光導入装置４に設けた凸部４ａは顕微鏡本体１に設けた嵌合溝１ｂ１、１ｃ１にガイドされ、顕微鏡本体１に照明光導入装置４が装着される。そして、装着された照明光導入装置４は、凸部４ａと嵌合溝１ｂ１、１ｃ１とによって位置決めされ、固定される。
【００３４】
上述した構成を有する倒立型顕微鏡では、落射照明の場合、ランプハウス５からの落射照明光を照明光導入装置４のダイクロイックミラーによって対物レンズ３１に向けて落射照明光が折り曲げられる。ダイクロイックミラーによって折り曲げられた照明光が、対物レンズ３１を介してステージ２上の標本に照射されると、例えば標本中の細胞の蛍光色素または蛍光タンパクが励起され蛍光を発する。発せられた蛍光を像として対物レンズ３１が取り込み、ダイクロイックミラーを透過して、結像レンズ３２によって結像され、リレーレンズ３４、結像レンズ３５を介して接眼レンズ３６において観察者により目視観察される。
【００３５】
また、透過照明の場合、透過照明装置９からの透過照明光を、ミラーを介してステージ２上の標本に照射すると、標本を透過した光が対物レンズ３１に取り込まれ、結像レンズ３２によって結像され、リレーレンズ３４、結像レンズ３５を介して接眼レンズ３６において観察者により目視観察される。なお、透過光観察は、明視野観察、位相差観察、微分干渉観察などを行う場合に用いられる。
【００３６】
ここで、倒立型顕微鏡には、ステージ２に載置される標本（培養容器）、および対物レンズ３１が配設される領域の環境温度を設定された温度に維持するための保温箱１００（が設けられている。保温箱１００は、中空空間を形成する二つの部材（第１部材１０１および第２部材１０２）からなる。
【００３７】
図３は、本実施の形態１にかかる倒立型顕微鏡の保温箱１００の構成を模式的に示す分解斜視図である。保温箱１００は、一端側に形成される開口１０１ａ，１０２ａを有する第１部材１０１および第２部材１０２が、互いの開口を塞ぐように一端面同士が連結されてなる。
【００３８】
第１部材１０１は、一方の面からみた側面視で段付き形状をなす箱状であって、この面に直交する面の一端に開口１０１ａを有する。また、第１部材１０１は、段付き形状における段部１０１ｂと、開口１０１ａの外縁から略矩形状に切り欠かれた第１切欠部１０１ｃと、中空空間に設けられ、温度調節部２１の制御のもとで発熱する発熱体１０１ｄと、ステージ２の形状に応じて設けられる凹形状をなす凹部１０１ｅと、開口１０１ａの外縁から略半円状に切り欠かれ、後述する第２切欠部１０２ｆとによって透過照明光の挿通穴を形成する第２切欠き部１０１ｆと、を有する。
【００３９】
第２部材１０２は、上述した第１部材１０１と同様、一方の面からみた側面視で段付き形状をなす箱状であって、この面に直交する面の一端に開口１０２ａを有する。また、第２部材１０２は、段付き形状における段部１０２ｂと、開口１０２ａの外縁から略矩形状に切り欠かれた第１切欠部１０２ｃと、中空空間に設けられ、温度調節部２１の制御のもとで発熱する発熱体１０２ｄと、ステージ２の形状に応じて設けられる凹形状をなす凹部１０２ｅと、開口１０１ａの外縁から略半円状に切り欠かれ、第１切欠部１０１ｆとによって透過照明光の挿通穴を形成する第２切欠き部１０２ｆと、を有する。また、第２部材１０２は、開閉自在に設けられた窓部１０２ｇを有する。なお、発熱体１０１ｄ，１０２ｄは、例えばファンヒーターを用いることにより実現され、ファンの回転によって加温された空気を送風によって空間内の空気を循環させながら温度調節を行う。これにより、空間内の温度を均一にすることができる。
【００４０】
上述した第１部材１０１および第２部材１０２は、顕微鏡本体１に取り付けられる。ここで、第１部材１０１および第２部材１０２は、図１，２に示すように、中空空間にステージ２、対物レンズ３１およびコンデンサレンズ９４を収容するように配設され、開口１０１ａ，１０２ａの外縁同士が接触して密閉状態を形成する。このとき、段部１０１ｂ，１０２ｂは、後壁部１ｂの上面１ｂ３および側面、前壁部１ｃの上面１ｃ２および側面、梁部１ｄにそれぞれ当接するとともに、段部１０１ｂ，１０２ｂの最下面が梁部１ｄに位置している。
【００４１】
また、開口１０１ａ，１０２ａの外縁同士が接触した状態において、第１切欠部１０１ｃ，１０２ｃが、支柱９１を取り囲んで当接しており、第１部材１０１および第２部材１０２と、支柱９１との間においても密閉状態が維持されている。さらに、凹部１０１ｅ，１０２ｅが形成することによって、ステージ２の移動によってステージ２と第１部材１０１および第２部材１０２とが干渉することなく、密閉状態を維持することができる。このとき、第２切欠部１０１ｆ，１０２ｆが、透過照明装置９からの透過照明光を保温箱１００内に挿通する挿入穴を形成する。
【００４２】
なお、窓部１０２ｇを開放して手や作業具を挿入することによって、標本（培養容器）などを操作することが可能である。これにより、保温箱１００の設置によらず、標本（培養容器）などの操作性を維持することができる。
【００４３】
以上のように設けられる保温箱１００において、温度調節部２１によって発熱体１０１ｄ，１０２ｄの発熱を制御することによって、保温箱１００の内部空間の温度を設定された温度に調整、維持することができる。なお、第２切欠部１０１ｆ，１０２ｆが形成する透過照明用の挿通穴は、保温箱１００の大きさに比べて微小であるため、保温箱１００の内部空間の温度変化への影響は小さい。このため、挿通穴の影響は無視できる程度であり、温度調節部２１によって保温箱１００の内部空間の温度を設定された温度に調整、維持することができる。
【００４４】
このとき、保温箱１００は、内部空間にステージ２、対物レンズ３１およびコンデンサレンズ９４を収容するように配設され、最下面が、照明光導入装置４の上部の梁部１ｄに位置するため、保温箱１００の内部空間が必要以上に大きくなることを防止するとともに、培養容器内の標本の環境温度と、対物レンズ３１の周囲の環境温度との温度条件を一定かつ同一に維持することができる。また、梁部１ｄなどを保温箱１００の底面の一部とすることによって、保温箱１００の部品点数を削減することができる。
【００４５】
上述した本実施の形態１によれば、保温箱１００において、内部空間にステージ２、対物レンズ３１およびコンデンサレンズ９４を収容するように配設し、最下面を、照明光導入装置４の上部の梁部１ｄに位置するようにしたので、観察効率を低下させることなく、標本と対物レンズ３１との温度条件を一定にして観察を実施することができる。また、対物レンズ３１を保温箱１００の内部に収容するため、対物レンズ３１における結露の発生などを防止して、光学像の観察を正確に行うことが可能となる。
【００４６】
なお、上述した本実施の形態１では、第１部材１０１および第２部材１０２の開口１０１ａ，１０２ａを接触させて連結するものとして説明したが、この接触部分において、両者を連結するための連結部材、例えば係着レバーと係合爪とをそれぞれに設けて連結することが好ましい。
【００４７】
また、上述した本実施の形態１では、第１部材１０１および第２部材１０２にそれぞれ発熱体１０１ｄ，１０２ｄが設けられるものとして説明したが、保温箱１００の内部空間の温度調節に問題がなければ発熱体をどちらかのみに設けるものであってもよい。また、窓部が第２部材１０２に設けられるものとして説明したが、第１部材１０１または両方に設けられるものであってもよい。
【００４８】
また、透過照明装置９において、励起フィルタを複数有するフィルタ切替ターレットを設けることも可能である。これにより、透過照明観察においても照明光の波長を選択して標本の観察を行うことができる。
【００４９】
また、顕微鏡本体１と保温箱１００との間に生じる隙間を一段と確実に防止するため、各接触部分において、スポンジ、ゴムなどからなる弾性体を配設してもよい。
【００５０】
（実施の形態２）
図４は、本実施の形態２にかかる倒立型顕微鏡の全体構成を示す模式図である。図５は、本実施の形態２にかかる倒立型顕微鏡の保温箱１００ａの構成を模式的に示す正面図である。図６は、本実施の形態２にかかる倒立型顕微鏡の保温箱１００ａの構成を模式的に示す分解斜視図である。なお、図１等で説明した構成と同一の構成要素には、同一の符号が付してある。
【００５１】
本実施の形態２にかかる倒立型顕微鏡は、上述した実施の形態１と同様、観察対象となる標本を下から観察する顕微鏡であって、上述した顕微鏡本体１と、上述したステージ２に代えて、顕微鏡本体１に支持されたステージ２００と、ステージ２００の上に載置された標本を下から観察する観察光学系３とを備えている。また、顕微鏡本体１には、照明光導入装置４の装着領域が画成され、上方域に対物レンズ３１（図２参照）の取付領域が画成される。
【００５２】
ステージ２００は、上面と下面とがそれぞれ平坦な板状体であって、その上面に標本が載置される。また、ステージ２００のほぼ中央には、標本が落下しない程度の開口（透孔）２ａが設けてあり、励起光、または標本からの観察光が通過するようになっている。
【００５３】
また、ステージ２００の標本（培養容器）載置面をＸＹ平面としたとき、ステージ２００は、ＸＹ方向に移動自在に構成されている。ステージ２００は、例えば、板状をなす基準部材（中板）、第１移動部材（上板）および第２移動部材（下板）が積層されてなる。このとき、ステージ２００は、中間に位置する基準部材を基準として、第１移動部材をＸＹ平面のＸ方向に往復動可能に積層するとともに、第２移動部材を、Ｙ方向に往復動可能に積層する。なお、開口２ａは、基準部材、第１移動部材および第２移動部材にそれぞれ設けられ、互いに連通する透孔によって形成される。
【００５４】
ステージ２００（第１部材）に載置された標本は、図５に示す操作部２ｂによってＸＹ平面内で移動操作される。具体的には、操作部２ｂは、ステージ２００をＸ方向に移動させるためのＸ方向移動操作部２０１と、ステージ２００をＹ方向に移動させるためのＹ方向移動操作部２０２と、からなる。操作部２ｂとステージ２００とは、基準部材に固定される基軸２ｃによって連結されている。また、Ｘ方向移動操作部２０１は、自身の回転によって基準部材に対し、Ｘ方向に移動する動力を第１移動部材に入力する。Ｙ方向移動操作部２０２は、自身の回転によって基準部材に対し、Ｙ方向に移動する動力を第２移動部材に入力する。このように、Ｘ方向移動操作部２０１またはＹ方向移動操作部２０２を基軸２ｃの中心軸周りに回転させることにより、この回転量に応じてステージ２００を移動させることができる。
【００５５】
ここで、倒立型顕微鏡には、ステージ２００に載置される標本（培養容器）、および対物レンズが配設される領域の環境温度を設定された温度に維持するための保温箱１００ａ（保温部材）が設けられている。保温箱１００ａは、中空空間を形成する２つの部材（第１部材１０１および第２部材１０３）からなる。保温箱１００ａは、一端側に形成される開口１０１ａ，１０２ａを有する第１部材１０１および第２部材１０３が、互いの開口を塞ぐように一端面同士が連結されてなる。第１部材１０１は、上述した構成を有する。
【００５６】
第２部材１０３は、上述した第１部材１０１と同様、一方の面からみた側面視で段付き形状をなす箱状であって、この面に直交する面の一端に開口１０２ａを有する。また、第２部材１０２は、段付き形状における段部１０２ｂと、開口１０２ａの外縁から略矩形状に切り欠かれた第１切欠部１０２ｃと、中空空間に設けられ、温度調節部２１の制御のもとで発熱する発熱体１０２ｄと、ステージ２００の形状に応じて設けられる凹形状をなす凹部１０２ｅと、操作部２ｂおよび基軸２ｃを挿通可能な孔部１０３ａと、を有する。また、第２部材１０３は、開閉自在に設けられた窓部１０２ｇを有する。
【００５７】
上述した第１部材１０１および第２部材１０３は、顕微鏡本体１に取り付けられる。ここで、第１部材１０１および第２部材１０３は、図４に示すように、中空空間にステージ２００、対物レンズ３１およびコンデンサレンズ９４を収容するように配設され、開口１０１ａ，１０２ａの外縁同士が接触して密閉状態を形成する。このとき、孔部１０３ａが、操作部２ｂおよび基軸２ｃの一部を挿通して外部に露出させることによって、保温箱１００ａと操作部２ｂおよび基軸２ｃとが干渉することを防止することができる。なお、密閉状態を維持するため、孔部１０３ａの外縁に、上述した弾性体を配設することが好ましい。
【００５８】
以上のように設けられる保温箱１００ａにおいて、温度調節部２１によって発熱体１０１ｄ，１０２ｄの発熱を制御することによって、保温箱１００ａの内部空間の温度を設定された温度に調整、維持することができる。また、このとき、保温箱１００ａは、内部空間にステージ２００、対物レンズ３１およびコンデンサレンズ９４を収容するように配設され、最下面が、照明光導入装置４の上部の梁部１ｄに位置するため、保温箱１００ａの内部空間が必要以上に大きくなることを防止するとともに、培養容器内の標本の環境温度と、対物レンズ３１の周囲の環境温度との温度条件を一定かつ同一に維持することができる。
【００５９】
上述した本実施の形態２によれば、保温箱１００ａにおいて、内部空間にステージ２００、対物レンズ３１およびコンデンサレンズ９４を収容するように配設し、最下面を、照明光導入装置４の上部の梁部１ｄに位置するようにしたので、観察効率を低下させることなく、標本と対物レンズ３１との温度条件を一定にして観察を実施することができる。
【００６０】
なお、上述した実施の形態１，２において、梁部１ｄに代えて、培養容器等から漏れる液体を受ける着脱自在な水受けトレイを用いるものであっても適用可能である。また、上述した実施の形態１，２では、保温箱１００，１００ａが、梁部１ｄまたは水受けトレイに当接して内部空間にステージ２，２００、対物レンズ３１およびコンデンサレンズ９４を収容するものとして説明したが、保温箱１００，１００ａの底部の位置が顕微鏡本体１の底部より高い位置であって、ステージ２，２００（標本または培養容器）および対物レンズ３１を収容していれば、標本と対物レンズ３１との温度条件を一定にした観察を実現することが可能である。
【００６１】
なお、上述した実施の形態１，２では、倒立型顕微鏡を例に説明したが、例えば、標本を拡大する対物レンズ、対物レンズを介して標本を撮像する撮像機能および画像を表示する表示機能を備えた撮像装置、例えば、ビデオマイクロスコープ等であっても、本発明を適用することができる。
【００６２】
以上のように、本発明にかかる顕微鏡および保温部材は、観察効率を低下させることなく、標本と対物レンズとの温度条件を一定にして観察を実施するのに有用である。
【符号の説明】
【００６３】
１  顕微鏡本体
１ａ  基部
１ｂ  後壁部
１ｂ１  嵌合溝
１ｂ２  嵌合孔
１ｂ３  上面
１ｃ  前壁部
１ｃ１  嵌合溝
１ｃ２  上面
１ｄ  梁部
２，２００  ステージ
２ａ  開口
２ｂ  操作部
２ｃ  基軸
３  観察光学系
４  照明光導入装置
４ａ，５ａ  凸部
５  ランプハウス
６  レボルバ
７  準焦装置
８  鏡筒
９  透過照明装置
２０  制御部
２１  温度調節部
３１  対物レンズ
３２，３５  結像レンズ
３３  ミラー
３４  リレーレンズ
３６  接眼レンズ
９１  支柱
９２  光源
９３  投光装置
９４  コンデンサレンズ
１００，１００ａ  保温箱
１０１  第１部材
１０１ａ，１０２ａ  開口
１０１ｂ，１０２ｂ  段部
１０１ｃ，１０２ｃ  第１切欠部
１０１ｄ，１０２ｄ  発熱体
１０１ｅ，１０２ｅ  凹部
１０１ｆ，１０２ｆ  第２切欠部
１０２，１０３  第２部材
１０２ｇ  窓部
１０３ａ  孔部
２０１  Ｘ方向移動操作部
２０２  Ｙ方向移動操作部
【図１】
2014006395.tif 000003
【図２】
2014006395.tif 000004
【図３】
2014006395.tif 000005
【図４】
2014006395.tif 000006
【図５】
2014006395.tif 000007
【図６】
2014006395.tif 000008